(57)【要約】【課題】  従来の防寒マフラーを首周りに１〜２回巻くと、首周りが大きく膨らんで、マフラーの着脱に手間がかかるのである。又、止め具の付いたマフラーを首周りに巻いて円周の定められた一点で固定する時は、目線の届かない場所で止め具をセットしなければならない不都合を解決すること。【解決手段】  従来マフラーの半分以下の長さにして、マフラーの表面と背面に面フアスナーを設けることにより、この課題を解決する。【選択図】図１
2012188794.tif 000002
【特許請求の範囲】
【請求項１】
防寒ショートマフラー表面の片側端部と背面の反対側一部に面フアスナー（商標名マジックテープ）を設けたことを特徴とする、面フアスナー付き防寒ショートマフラー。
【請求項２】
防寒ショートマフラーの背面に設けてあるループ面フアスナーを広い範囲に設けることによって、ショートマフラーを首周りにあてがった時に、首周りの円周の大、小、に合わせて背面のループ面フアスナーの範囲内に於いては、強く、緩く自在にショートマフラーの長さを調整出来ることが特徴である。
【発明の詳細な説明】
【技術分野】
【０００１】  本発明は、防寒マフラーに関するものであって、防寒マフラーの止め具として面フアスナーを使用する事によって、従来のマフラー生地の半分以下の面積で、防寒機能を同等以上に保ちつつ、尚且つ、首周りをスッキリする事が出来る防寒マフラーに関するものである。
【背景技術】
【０００２】  従来から、防寒マフラーは長尺もので、首周りを１〜２回巻きにして防寒しているのである。又は、止め具付きの防寒マフラーを首周りにあてがって、定められた円周の一点で、ボタン、かけ具、ブローチ等で止め具にしているのである。
【発明の開示】
【発明が解決しょうとする課題】
【０００３】  しかし、従来のような、長い防寒マフラーでは、マフラー装着時に首周りが大きく膨らんで、マフラーの着脱に手間がかかるのである。又、止め具付きの防寒マフラーを首周りにあてがって円周の定められた一点で止めるときは、目線が届かない場所で止め具をセットすることが不都合な作業になるのである。このような、マフラーの膨らみ、止め具をセットするという不都合を解消する事を課題とする。本発明は、これらの問題点を解決するためになされたものである。
【課題を解決するための手段】
【０００４】  この課題を解決するため請求項１の発明は、ショートマフラー表面の片側端部、及びショートマフラー背面の片側に面フアスナーを設けたことを特徴とする簡単着脱の出来るショートマフラーである。
【０００５】  又、請求項２の発明は、ショートマフラー背面にループ面フアスナーを広い範囲に設けることによって、首周りの細い人、太い人、と何人もショートマフラーを首周りに一回りさせて、ショートマフラーの表面端部のフック面フアスナーを上から軽く押さえるだけで、表面と背面の両方の面フアスナーが絡みついて、ショートマフラーは首周りに密着して簡単に装着出来るのである。又、取り外しは、ショートマフラーの端部を軽く引っ張るだけで、瞬時に取り外しが出来るのである。
【発明の効果】
【０００６】  本発明により、老若男女、全ての人が寒気に我慢する事なく、防寒ショートマフラーを首周りにあてがって端部のフック面フアスナーを上から軽く押さえるだけで背面のループ面フアスナーに絡みついてショートマフラーは首周りに密着して簡単に装着出来るのである。
【発明を実施するための最良の形態】
【０００７】  図１は、ショートマフラー表面の片側端部、及び、背面に面フアスナーを設けたこを特徴とするショートマフラーの斜視図である。同図に示すように、ショートマフラーを首周りに巻いて、表面端部を上から軽く押さえると表面のフック面フアスナーと背面のループ面フアスナーが絡みついてショートマフラーは首周りに密着して簡単に装着出来るのである。【０００８】  図２は、ショートマフラー表面の片側端部にフック面フアスナーを設けたことを特徴とするショートマフラーの平面図である。同図に示すように、ショートマフラーを首周りに巻いた時に、表面端部を目視することなく、表面端部のフック面フアスナーを上から軽く押さえれば背面のループ面フアスナーに絡みついて、ショートマフラーは首周りに密着して簡単に装着出来るのである。【０００９】  図３は、ショートマフラーの背面にループ面フアスナーを設けたことを特徴とするショートマフラーの背面図である。同図に示すように、背面のループ面フアスナーの範囲内に於いては、首周りの円周の大、小に合わせて、強く、緩くショートマフラーの長さを自在に調整してショートマフラーは首周りに密着して簡単に装着出来るのである。【００１０】  図４は、ショートマフラーを幅広くした時に、ショートマフラーの表面片側端部のフック面フアスナーを個別に複数配列したことを特徴とするショートマフラーの平面図である。同図に示すように、片側端部に複数のフック面フアスナーを設けることによって、首周り、顎、口、鼻、の凹凸の形状のままに、ショートマフラーを首周りに巻いて、表面端部を上から軽く押さえれば、背面のループ面フアスナーに絡みついて、ショートマフラーは首周りに密着して簡単に装着出来るのである。【００１１】  図５は、ショートマフラーを幅広くした時に、ショートマフラーの背面に複数のループ面フアスナーを配列たことを特徴とする、ショートマフラーの背面図である。同図に示すように背面のループ面フアスナーを長く、複数配列することによって、首周り、顎、口、鼻、の凹凸の形状のままに、ショートマフラーを首周りに巻いて、表面端部を上から軽く押さえれば、背面のループ面フアスナーに絡みついてショートマフラーは首周りに密着して簡単に装着出来るのである。【００１２】  図６は、ショートマフラーを幅広くした時に、ショートマフラー背面の片側一面にループ面フアスナーを設けたことを特徴とするショートマフラーの背面図である。同図に示すように、背面のループ面フアスナーを広く一面に設けることによって、首周り、顎、口、鼻、の凹凸の形状のままに、ショートマフラーを首周りに巻いて、表面端部を上から軽く押さえれば、背面のループ面フアスナーに絡みついてショートマフラーは首周りに密着して簡単に装着出来るのである。【００１３】  首周りの円周の距離を固定した定点に、背面のループ面フアスナーを小さく一点に設けてもよい。【００１４】  これら、ショートマフラー表面の片側端部、及び、背面の片側に設ける面フアスナーの形態は、丸型、三角、四角、長方形にしても良い。【００１５】  マフラーの生地を吸汗繊維にすれば、首周りの吸汗帯になるのである。
【産業上の利用可能性】
【００１６】  本発明に係るショートマフラーは、工業的に量産することが可能であるため、産業上の利用可能性を有する。
【図面の簡単な説明】
【００１７】
【図１】  ショートマフラーの表面及び、背面に面フアスナーを設けたショートマフラーの斜視図である。
【図２】  ショートマフラー表面の片側端部にフック面フアスナーを設けたショートマフラーの平面図である。
【図３】  ショートマフラー背面の片側に長いループ面フアスナーを設けたショートマフラーの背面図である。
【図４】  ショートマフラーを幅広くした時に、ショートマフラー表面の片側端部に個別のフック面フアスナーを複数配列したショートマフラーの平面図である。
【図５】  ショートマフラーを幅広くした時に、ショートマフラーの背面に個別のループ面フアスナーを複数配列したショートマフラーの背面図である。
【図６】  ショートマフラーを幅広くした時にショートマフラーの背面片側の一面にループ面フアスナーを設けたショートマフラーの背面図である。
【符号の説明】
【００１８】１        ショートマフラー表面の片側端部に設けたフック面フアスナー
２        ショートマフラー背面に設けたループ面フアスナー
３        ショートマフラー表面保温繊維
４        ショートマフラーの背面
５        ショートマフラーを幅広くした時の、表面片側端部に配列された複数のフック面フアスナー
６        ショートマフラーを幅広くした時の表面保温繊維
７        ショートマフラーを幅広くした時の、背面片側に配列された複数のループ面フアスナー
８        ショートマフラーを幅広くした時の背面
９        ショートマフラーを幅広くした時の、背面片側の一面に設けたループ面フアスナー
【図１】
2012188794.tif 000003
【図２】
2012188794.tif 000004
【図３】
2012188794.tif 000005
【図４】
2012188794.tif 000006
【図５】
2012188794.tif 000007
【図６】
2012188794.tif 000008